(57)【要約】  【目的】  肩への負担を軽減し、これにより背負い心地を改善した背負型バッグの提供  【構成】  背負型のバッグ１０収納空間の底部を内張１４によって仕切り、上下２層に構成して、上部を被収納物の収納空間１０ａ、下層を気体バッグ１５の収納空間１０ｂとすると共に、気体バッグ収納空間の気体バッグは背負型バッグに取り付けた開閉口から装脱着可能に配設され、前記底部の内張仕切を空気注入時の膨出気体バッグにより上部被収納物の収納空間側に前記膨出気体バッグ対応して前記被収納物を上昇させ重心あげることができる構成とした背負型バッグ。  【選択図】  図５
2006187402.tif 000002
【特許請求の範囲】
【請求項１】
背負型のバッグにおいて、バッグ内部下部に気体の注入によりバック内の被収納物を上昇させることができる気体注入、排気口を持つ気体バッグを配設した背負型バッグ。
【請求項２】
気体バッグを背負型バッグの底部にほぼ並行に膨出する構造としたことを特徴とする請求項１に記載の背負型バッグ。
【請求項３】
ほぼ並行に膨出する構造の気体バッグ側部が上方膨出可能な折りたたみが形成した構造とし、気体バッグ上部を平坦形状を保持できる部材としたことを特徴とする請求項２に記載の背負型バッグ。
【請求項４】
空気バッグの上部の平坦形状を被収納物の負荷ベクトルが背側に向く構造としたことを特徴とする請求項３に記載の背負型バッグ。
【請求項５】
ほぼ並行に膨出する構造の気体バッグが背負型バッグの底部に対し着脱自在としたことを特徴とする請求項２に記載の背負型バッグ。
【請求項６】
背負型のバッグ収納空間の底部を内張によって仕切り、上下２層に構成して、上部を被収納物の収納空間、下層を気体バッグの収納空間とすると共に、気体バッグ収納空間の気体バッグは背負型バッグに取り付けた開閉口から装脱着可能に配設され、前記底部の内張仕切を空気注入時の膨出気体バッグにより上部被収納物の収納空間側に前記膨出気体バッグに対応して前記被収納物を上昇させ重心あげることができる構成としたことを特徴とする請求項５に記載の背負型バッグ。
【発明の詳細な説明】
【技術分野】
【０００１】
本発明は、被収納物の重心を上方に移動可能とした背負いバッグに関する。前記重心の上昇により、被収納物の負荷ベクトルを背側へ向け、肩への負担を軽減し、これにより背負い心地を改善したことを特徴とする背負型バッグに関する。
【背景技術】
【０００２】
従来技術として、バッグ等にバックの被収納空間に気体の注入および排気が可能な気体バッグを配設し、前記被収納物を収納空間内に固定状態に保持し、持ち運び性を改善したバッグなど等の提案がある（特許文献１）。しかしながら、収納物の固定により持ち運び性は改善可能であるが、背負子に荷物を固定して運搬する際、荷物の負荷が可能な限り肩部にかからない方向になるよう固定し荷物の運び性を改善する原理を実現することができないと言う不十分さがある。
【０００３】
【特許文献１】特開２００３−１９９６０７、特許請求の範囲、
【発明の開示】
【発明が解決しようとする課題】
【０００４】
解決しようとする課題は、前記背負子に荷物を固定して運搬する際、荷物の負荷が可能な限り肩部にかからない方向になるよう固定し荷物の運び性を改善する原理を実現可能とした背負型バッグを提供することである。図１は背負型バッグ内に収容した荷物の人体への負荷ベクトルの解析を図示したものである。背負子使用により荷物を運搬するには荷物の重力が可能な限り肩部にかからない方向になるように背負子に固定することが運搬性を良くすることはよく知られている。図１において荷物の負荷ベクトルはａの位置で最も背負子を利用した運搬性の改善に近づく。図２は背負型バックを人体に装着した構造を示す。図１の背負型バック内の荷物のベクトルの解析から運搬性を改善するには、収納した荷物を背負型バック内で前記解析に基づいた理想に近い状態に保持できる背負型バックを設計することが重要である。そこで本発明者は背負型バック内において前記理想に近い荷物の保持を実現するために、背負型バック内に気体の注入、排気が可能で、気体の注入により収容荷物のベクトルを前記理想に近い状態の固定保持を実現できる構造に空気バックを配設することにより前記課題を解決することができることを見出し、前記課題を解決することができた。
【課題を解決するための手段】
【０００５】
本発明は、（１）背負型のバッグにおいて、バッグ内部下部に気体の注入によりバック内の被収納物を上昇させることができる気体注入、排気口を持つ気体バッグを配設した背負型バッグである。好ましくは、（２）気体バッグを背負型バッグの底部にほぼ並行に膨出する構造としたことを特徴とする前記（１）に記載の背負型バッグであり、より好ましくは、（３）ほぼ並行に膨出する構造の気体バッグ側部が上方膨出可能な折りたたみが形成した構造とし、気体バッグ上部を平坦形状を保持でき部材としたことを特徴とする前記（２）に記載の背負型バッグであり、一層好ましくは、（４）空気バッグの上部の平坦形状を被収納物の負荷ベクトルが背側に向く構造としたことを特徴とする前記（３）に記載の背負型バッグである。
【０００６】
また、好ましくは、（５）ほぼ並行に膨出する構造の気体バッグが背負型バッグの底部に対し着脱自在としたことを特徴とする前記２に記載の背負型バッグであり、より好ましくは、（６）背負型のバッグ収納空間の底部を内張によって仕切り、上下２層に構成して、上部を被収納物の収納空間、下層を気体バッグの収納空間とすると共に、気体バッグ収納空間の気体バッグは背負型バッグに取り付けた開閉口から装脱着可能に配設され、前記底部の内張仕切を空気注入時の膨出気体バッグにより上部被収納物の収納空間側に前記膨出気体バッグ対応して前記被収納物を上昇させ重心を上げることができる構成としたことを特徴とする前記（５）に記載の背負型バッグである。
【発明の効果】
【０００７】
発明の効果として、背負型バッグ内に配設した気体バッグにより被収納荷物、特に被収納荷物が比重の大きなもの、例えばドリンクボトルなどの場合、気体バッグに気体を挿入することにより前記被収納荷物を、前記荷物を上昇させ、これにより荷物重力のベクトルを背中側にかかる構成を実現することができ、肩への負担を軽減した背負い性を改善した背負型バッグを提供できたということを挙げることができる。
【発明を実施するための最良の形態】
【０００８】
以下、図面を参照しながら本発明の実施形態を更に説明する。
Ａ．図３は本発明の背負型バッグの一態様を示すものである。背負型バッグ１０は、荷物収納部１０ａと気体バッグ１５の収納部１０ｂに仕切内張１４により仕切られた構造に設計されている。そして、前記仕切内張１４は前記気体バッグ１５に気体を注入され膨出した状態においても順応できる収納部を形成できる伸縮可能な構造または／及び伸縮可能な材料で構成されている。伸縮可能構造とは仕切が前記順応収納部を形成できるのに十分な大きさを持つこと、または“ひだ”や蛇腹などの伸縮構造などが形成されていることを意味し、また伸縮可能な材料とはゴムなどの伸縮可能な材質を意味する。収納部１０ｂは、例えば背負型バッグ１０に空気バッグ１５を挿入し、配設可能とするための開閉口、例えばジッパー開閉口１１ｂを設けた構造に設計されている。また、空気バッグ１５には気体チューブ１６および排気バルブを付設した気体ポンプを取り付けた構造に設計されている。従って、必要な場合、すなわち比較的に重量のある被収納物を収納した際に、ジッパー１１ａを開き気体ポンプ１７を取り出し手動で気体を気体バッグ１５に送って膨出させて気体バッグ１５の機能を発揮させることができる。また、前記気体バック１５は気体を注入してから、気体バッグ収納部１０ｂに収納させることができる。
【０００９】
図４は図３の背面図と側面図である。各図において、１２は取っ手、１３ａ肩ハーネス、１３ｂは胸ストラップ、及び１３ｃは側部ストラップである。
【実施例１】
【００１０】
本発明の背負型バッグの一例を図５を参照して説明する。
背負型バッグ１０は、荷物収納部１０ａと空気バッグ１５収納部１０ｂに仕切内張１４により仕切られた構造に設計されている。前記仕切内張は前記空気バッグ１５に気体を注入され膨出した状態で収納できる大きさの材料（？？ゴム製）で構成されている。収納部１０ｂはジッパー開閉口（詳細は図３参照）１１ｂを開き、気体ポンプ１７（図５（ｂ））を取り出し手動で空気を空気バッグ１５に送って膨出させてから気体ポンプ１７を気体バッグ収納部１０ｂに収納する（図５の（ｃ））。背負型バッグ１０の上部のジッパー開閉口１１ａ（図３を参照）を開き被収納物Ｗを入れ背負型バッグ横の膨らみをストラップ１３ｃで調整して背負いバッグ１０を背負い、肩ハーネス１３ａの長さを調節して、肩ハーネスが被収納物の荷重によって左右に開くようならば胸のストラップ１３ｂを止める。使用後はジッパー１１ｂを開け気体ポンプ１７を取り出し排気弁１７ａを開きエアバッグ１５の空気を排気する。
【００１１】
手動式の気体ポンプ１７を配備することで気体バッグ１５は何時でも何処でも簡単に使用することができる。
なお図６に気体注入前の気体バッグ１５（ａ）と気体を注入して膨出させた気体バッグ１５（ｂ）を示した。
【００１２】
背負型バッグ１０の材質はジッパーを用いることができる丈夫な布製、皮製、その他の軟質材料のような従来の背負型バッグで採用されていたものを使用できることは明らかである。気体バッグ１５を構成する材料についても、従来の、カバン類や前記文献記載の背負型バッグに配設されている空気バックを構成する材質が使用可能であり、被収納物Ｗの重量に耐える構成とすることができればよく、特に限定されない。
【００１３】
前期実施例では気体バッグ１５を、空気を注入後気体バック収納部１０ｂに挿入する方法を説明したが、収納部１０ｂに気体バッグ１５を収納した状態で気体を注入する構成としても良いことは明らかである。また、収納室を２つの収納室に仕切る内張を形成した場合を説明したが、背負型バッグの底部に、必要な時に気体を注入して気体バッグを膨出可能に直接配設する構成に設計変更できることは明らかである。
【産業上の利用可能性】
【００１４】
本発明の前記構成により背負型バッグにおいて、例えば、収納空間を内張により上下２層に構成して下層に手動式の気体ポンプと気体チューブ１６が接続され、気体バッグ及びその収納物を背負型バッグ底部に平行に膨出、例えば蒲ぼこ型に膨出する気体バッグ１５を配設することにより、気体バッグを膨らませるだけで、被収納荷物の肩にかかる荷重を、理想の重量ベクトル成分に変更して保持させることができるという、特に高齢化社会において待望されていた理想のバッグ類を提供できることから、社会に貢献することは明らかである。
【図面の簡単な説明】
【００１５】
【図１】背負型バッグ内における収納物の重量ベクトルの解析図
【図２】図１の背負型バッグを装着した場合の重量ベクトルの状態図
【図３】本発明の気体バッグを背負型バッグ底部に形成した背負型バッグ一態様を示す
【図４】図３の背負型バッグの背面図（ａ）と側面図（ｂ）
【図５】実施例１の背負型バッグであり、被収納荷物Ｗを収納する前（ａ）、被収納荷物Ｗを収納した状態（ｂ）及び気体バッグ１５を膨出させ被収納荷物Ｗを上昇させた状態（ｃ）を示す
【図６】気体バッグ１５の膨出前（ａ）と気体注入後（ｂ）を示す
【符号の説明】
【００１６】
１０    バッグ
１０ａ&nbsp; 荷物収納室
１０ｂ  エアバッグ収納室
１１ａ  収納室ジッパー開閉部
１１ｂ  空気バック室ジッパー開閉部
１２    取っ手
１３ａ  肩ハーネス
１３ｂ  胸ストラップ
１３ｃ  側部ストラップ
１４    仕切り内張
１５    エアバッグ
１６    エアチューブ
１７    エアポンプ
１７ａ  排気バルブ
【図１】
2006187402.tif 000003
【図２】
2006187402.tif 000004
【図３】
2006187402.tif 000005
【図４】
2006187402.tif 000006
【図５】
2006187402.tif 000007
【図６】
2006187402.tif 000008